【事件の表示】
　特許第３１３７０４１号「電子スチルカメラ」の請求項１ないし３に係る特許に対する特許異議の申立てについて、次のとおり決定する。
【結　論】
　訂正を認める。
　特許第３１３７０４１号の請求項１ないし３に係る特許を維持する。
【理　由】
１．手続の経緯
　特許第３１３７０４１号の発明は、平成２年１月１８日に特許出願した特願平２−９０９７号の一部を平成９年７月８日に新たな特許出願とし、平成１２年１２月８日にその発明について特許権の設定登録がなされた後、その特許について、特許異議申立人有限会社オフィスアテナより特許異議の申立がなされ、取消しの理由が通知され、その指定期間内である平成１３年１２月２８日に訂正請求（後日取下げ）がなされた後、再度の取消しの理由が通知され、その指定期間内である平成１４年１０月３日に訂正請求がなされたものである。
２．訂正の適否についての判断
（１）訂正の内容
特許権者が求めている訂正の内容は、以下のａのとおりである。
ａ．特許第３１３７０４１号発明の明細書中特許請求の範囲の請求項１を、特許請求の範囲の減縮を目的として「前記レリーズ信号が発生する毎に前記撮像手段から出力される単一の映像信号を記録する一駒撮影モードと、前記レリーズ信号が発生している間、前記撮像手段から出力される映像信号を連続して記録する連続駒撮影モードとを切り換える切換手段と、」を追加するよう訂正する。
　これに伴い、請求項１中の記載の整合をとるため、請求項１中の「前記予備撮影信号の発生に応答して前記撮像手段から得られた映像信号を複数画面分前記バッファメモリー手段に格納する予備撮影手段」を、明りょうでない記載の釈明を目的として、「前記切換手段により切り換えられる撮影モードが前記一駒撮影モードと前記連続駒撮影モードのいずれであるかに関らず、前記予備撮影信号の発生に応答して前記撮像手段から得られた映像信号を複数画面分前記バッファメモリー手段に格納する予備撮影手段」と訂正する。
　同様に、請求項１中の記載の整合をとるため、請求項１中の「前記レリーズ信号の発生に応答して、前記予備撮影手段によって前記バッファメモリー手段に格納された複数画面分の映像信号のうち少なくとも最後に前記バッファメモリー手段に格納された映像信号を含む複数画面分の映像信号を前記記録媒体に転送記録する制御手段」を、明りょうでない記載の釈明を目的として、「前記レリーズ信号の発生に応答して、前記切換手段により切り換えられた撮影モードに基づく映像信号の前記記録媒体への記録と、前記予備撮影手段によって前記バッファメモリー手段に格納された複数画面分の映像信号のうち少なくとも最後に前記バッファメモリー手段に格納された映像信号を含む複数画面分の映像信号の前記記録媒体への転送記録とを行う制御手段」と訂正する。
　さらに、特許請求の範囲の記載と発明の詳細な説明の記載との整合をとるため、特許第３１３７０４１号発明の明細書中第２頁第４欄第１１行から同３４行「このような電子スチルカメラにつき本発明にあっては、‥‥‥画面の枚数を設定する枚数設定手段を備える。」を明りょうでない記載の釈明を目的として、「このような電子スチルカメラにつき本発明にあっては、撮影光学系と、該撮影光学系によって形成された被写体像を映像信号に光電変換する撮像手段と、前記撮像手段から得られた該映像信号を記録媒体に記録する記録手段とを有する電子スチルカメラにおいて、前記撮像手段から出力される映像信号を一時的に複数画面分格納可能なバッファメモリー手段と、前記記録手段による前記記録媒体への記録動作を開始するためのレリース信号を発生するレリーズ信号発生手段と、前記レリーズ信号が発生する毎に一画面分の映像信号を前記撮像手段から出力する一駒撮影モードと、前記レリーズ信号が発生している間、映像信号を連続して前記撮像手段から出力する連続駒撮影モードとを切り換える切換手段と、前記レリーズ信号発生前に前記バッファメモリー手段への映像信号格納動作を開始するための予備撮影信号を発生する予備撮影信号発生手段と、前記切換手段により切り換えられる撮影モードが前記一齣撮影モードと前記連続駒撮影モードのいずれであるかに関らず、前記予備撮影信号の発生に応答して前記撮像手段から得られた映像信号を複数画面分前記バッファメモリー手段に格納する予備撮影手段と、前記レリーズ信号の発生に応答して、前記切換手段により切り換えられた撮影モードに基づく映像信号の前記記録媒体への記録と、前記予備撮影手段によって前記バッファメモリー手段に格納された複数画面分の映像信号のうち少なくとも最後に前記バッファメモリー手段に格納された映像信号を含む複数画面分の映像信号の前記記録媒体への転送記録とを行う制御手段とを設けたものである。
　ここで前記予備撮影手段は、前記バッファメモリー手段に新たな１画面分の映像信号を格納する時間間隔を設定するタイミング設定手段、及び、前記バッファメモリーから記録媒体に転送記録する画面の枚数を設定する枚数設定手段を備える。」と訂正する。
　同様に、特許請求の範囲の記載と発明の詳細な説明の記載との整合をとるため、特許第３１３７０４１号発明の明細書中第５頁第１０欄４３行目から第６頁第１１欄２０行「【発明の効果】以上説明したように本発明によれば、‥‥‥撮影者の技量や撮影条件に合わせてさらに有効な撮影記録を行うことが可能になる。」を明りょうでない記載の釈明を目的として、「以上説明したように本発明によれば、電子スチルカメラが、撮影手段から出力される映像信号を一時的に複数画面分格納可能なバッファメモリー手段と、記録手段による記録媒体への記録動作を開始するためのレリーズ信号を発生するレリーズ信号発生手段と、レリーズ信号が発生する毎に一画面分の映像信号を撮像手段から出力する一駒撮影モードと、レリーズ信号が発生している間、映像信号を連続して撮像手段から出力する連続駒撮影モードとを切り換える切換手段と、レリーズ信号発生前にバッファメモリー手段への映像信号格納動作を開始するための予備撮影信号を発生する予備撮影信号発生手段と、切換手段により切り換えられる撮影モードが一駒撮影モードと連続駒撮影モードのいずれであるかに関らず、予備撮影信号の発生に応答して撮像手段から得られた映像信号を複数画面分の映像信号のうち少なくとも最後に前記バッファメモリー手段に格納された複数画面分バッファメモリー手段に格納する予備撮影手段と、レリーズ信号の発生に応答して、切換手段により切り換えられた撮影モードに基づく映像信号の記録媒体への記録と、予備撮影手段によって前記バッファメモリー手段に格納された映像信号を含む複数画面分の映像信号の記録媒体への転送記録とを行う制御手段とを備えたことで、レリーズ部材の押圧から実際に撮影する被写体の情報をとり込む（写し込む）までの時間遅れを補償した映像信号の記録媒体への記録を容易に行うことが出きる。特に、予備撮影信号の発生に応じた映像信号のバッファメモリー手段への格納動作を電子カメラの撮影モードに関らず実行可能とすることで、一齣撮影及び連続駒撮影いずれの撮影モードであってもレリーズ信号の発生直前にバッファメモリー手段に格納された映像信号を確実に記録媒体に記録することができる。
　また、バッファメモリー手段に順次新たな一画面分の映像信号を格納する時間間隔を設定するタイミング設定手段及びバッファメモリー手段から記録媒体に転送記録する画面の枚数を設定する枚数設定手段を備えているため、撮影者の技量や撮影条件に合わせてさらに有効な撮影記録を行うことが可能となる。」と訂正する。
（２）訂正の目的の適否、新規事項の有無及び拡張・変更の存否
　以下、上記訂正事項ａについて検討する。
　訂正事項ａは、特許明細書の段落番号【0017】【0021】【0022】【0023】【0026】【0030】【0031】【0032】【0033】、図２，図３及び図４の記載に基づいて、特許請求の範囲の請求項１ないし３のいずれにも構成要件を加える特許請求の範囲の減縮を目的とした明細書の訂正及び特許請求の範囲の訂正に伴い、対応する箇所を訂正する明りょうでない記載の釈明を目的とした明細書の訂正に該当する。
　そして、上記訂正事項ａは、いずれも特許明細書に記載されている事項の範囲内のものであり、新規事項の追加に該当せず、また実質上特許請求の範囲を拡張し、又は変更するものでない。
（３）以上のとおりであるから、上記訂正は、特許法第１２０条の４第２項及び第３項において準用する特許法第１２６条第２項及び第３項の規定に適合するので、当該訂正を認める。
３．特許異議の申立てについての判断
（１）申立ての理由の概要
　特許異議申立人有限会社オフィスアテナは、証拠として、
甲第１号証：特開昭５６−１５８５８３号公報（以下「刊行物１」という。）
甲第２号証：特開昭５９−７０３８５号公報（以下「刊行物２」という。）甲第３号証：実願昭５９−７３９４５号（実開昭６０−１８６７７１号公報）のマイクロフィルム（以下「刊行物３」という。）
を提出し、特許請求の範囲の請求項１ないし３に係る発明についての特許は、特許法第２９条第２項の規定に違反してなされたものであるから、特許を取り消すべき旨、主張している。
（２）本件発明
　上記訂正請求により訂正された訂正明細書の特許請求の範囲の請求項１ないし３に係る発明は、その請求項１ないし３に記載された次のとおりのものである。
「【請求項１】撮影光学系と、該撮像光学系によって形成された被写体像を映像信号に光電変換する撮像手段と、前記撮像手段から得られた該映像信号を記録媒体に記録する記録手段とを有する電子スチルカメラにおいて、前記撮像手段から出力される映像信号を一時的に複数画面分格納可能なバッファメモリー手段と、前記記録手段による前記記録媒体への記録動作を開始するためのレリーズ信号を発生するレリーズ信号発生手段と、前記レリーズ信号が発生する毎に一画面分の映像信号を前記撮像手段から出力する一駒撮影モードと、前記レリーズ信号が発生している間、映像信号を連続して前記撮像手段から出力する連続駒撮影モードとを切り換える切換手段と、前記レリーズ信号発生前に前記バッファメモリー手段への映像信号格納動作を開始するための予備撮影信号を発生する予備撮影信号発生手段と、前記切換手段により切り換えられる撮影モードが前記一駒撮影モードと前記連続駒撮影モードのいずれかであるかに関らず、前記予備撮影信号の発生に応答して前記撮像手段から得られた映像信号を複数画面分前記バッファメモリー手段に格納する予備撮影手段と、前記レリーズ信号の発生に応答して、前記切換手段により切り換えられた撮影モードに基づく映像信号の前記記録媒体への記録と、前記予備撮影手段によって前記バッファメモリー手段に格納された複数画面分の映像信号のうち少なくとも最後に前記バッファメモリー手段に格納された映像信号を含む複数画面分の映像信号の前記記録媒体への転送記録とを行う制御手段とを備えたことを特徴とする電子スチルカメラ。
【請求項２】前記バッファメモリー手段に順次新たな１画面分の映像信号を格納する時間間隔を設定するタイミング設定手段を備えたことを特徴とする請求項１記載の電子スチルカメラ。
【請求項３】前記バッファメモリー手段から記録媒体に転送記録する画面の枚数を設定する枚数設定手段を備えたことを特徴とする請求項１または２記載の電子スチルカメラ。」
（３）刊行物記載の発明
　本件請求項１ないし３に係る発明に対して、当審が通知した取消理由で引用した刊行物１には、「撮像装置により得られる画像情報を、カセットテープの如き狭帯域用磁気テープに記録し再生するための画像記録方式を提供するもので、１フレームメモリーを用い画像情報をデジタル記憶させ、これを読み出して磁気テープへ狭帯域記録させる方式であり、メモリー書き込み時間を高速とすることにより比較的早い動きの被写体の画像をも通常のカセットテープへ記録し得るように」（２頁右上欄下から３行ないし同頁左下欄６行）するため、
「撮像デバイスの光電変換面に結像せる被写体を２次元走査して被写体光量に応じたアナログビデオ信号を発生させ、該アナログビデオ信号をデジタル信号に変換した後、これをデジタルメモリー回路へ前記走査と同期して書き込み記憶させ、該デジタルメモリー回路の内容を前記走査と異なる周期で読み出したデジタル信号を磁気記録せしめる撮像装置において、前記メモリー回路への書き込みを撮像装置のレリーズ第１段動作により開始し、該レリーズの第２段動作で前記書き込みを停止せしめると共に、前記メモリー内容の読み出しおよび磁気記録動作を停止せしめることを特徴とする画像記録方式」（１頁左下欄、特許請求の範囲（１）の項）が記載されている。
（２）刊行物２には、「胃のように特異な動きを見せる被検体であっても、その一連の動きを示す複数の所望の静止画が、レリーズボタンの操作タイミングの多少の遅れにかかわらず、容易に得られると共に、正確かつ容易な検診を可能とした内視鏡撮影装置を提供すること」（１頁右下欄下から５行ないし２頁左上欄１行）を目的とした
「固体撮像素子を用いたＴＶカメラを有する内視鏡撮像装置において、対象物を連続的に撮像して順次ＴＶ信号を発生する固体撮像装置と、発生されたＴＶ信号が並列的に供給される複数の一時画像メモリと、この一時画像メモリに順次供給されるＴＶ信号を時系列的に記憶せしめ、又、順次読み出すタイミング制御回路と、静止画像を得るためのレリーズボタンの動作に対応して前記タイミング制御回路を駆動させる手段と、少なくともこのレリーズ動作が行われたときに前記固体撮像装置に入力されている画像データを含む一連のＴＶ信号を順次記憶する主画像メモリと、前記一時、主画像メモリに記憶された複数画面分の画像データを組合せて一画面の画像として表示するＴＶ画像制御手段とを具備したことを特徴とする内視鏡撮像装置」（１頁左差欄、特許請求の範囲の頁）が記載されている。
（３）刊行物３の発明
　刊行物３には、「従来のカメラやＶＴＲでは、所望の動作や現象の変化の開始時点が予測できないこと、この開始時点より前の画面も必要であることから、必要な画面部分を記憶するため、その前から撮影を開始して準備をしなければならなかった。」（４頁７行ないし１２行）という問題を解決した「所望の記録開始基準時点を設定する基準時点設定手段と、この記録開始基準時点の前後の所定時間内の映像を所望の枚数の静止画像としてメモリ装置に記録する撮影記録手段と、前記メモリ装置の静止画像を所望の時点で随時再生する画像再生手段とを備えていることを特徴とする電子カメラ装置。」（１頁、実用新案登録請求の範囲（１）の項）が記載されている。
４．対比・判断
《本件請求項１に係る発明について》
　本件請求項１に係る発明と刊行物１ないし３の発明とを対比・検討すると、刊行物１ないし３の発明は、本件請求項１に係る発明における次に掲げる主要な事項を具備していないし、刊行物１ないし３には、この主要な事項を示唆する記載もなされていない。
「前記レリーズ信号の発生に応答して、前記切換手段により切り換えられた撮影モードに基づく映像信号の前記記録媒体への記録と、前記予備撮影手段によって前記バッファメモリー手段に格納された映像信号を含む複数画面分の映像信号の前記記録媒体への転送記録とを行う制御手段」
　そして、上記主要な事項により、本件請求項１に係る発明は、
「特に、予備撮影信号の発生に応じた映像信号のバッファメモリーへの格納動作を電子カメラの撮影モードに関らず実行可能とすることで、一駒撮影及び連続駒撮影いずれの撮影モードであってもレリーズ信号の発生直前にバッファメモリー手段に格納された映像信号を確実に記録媒体に記録することが出きる。」（【発明の効果】の項）という効果を奏するものである。
　ところで、異議申立人は、特許異議申立書において、「電子スチルカメラのレリーズボタンスイッチが映像信号の撮像・記録のために操作されることは当然であるから、レリーズボタンスイッチ１の２段目のストロークによって新たな映像信号が撮影されて記録されることは当然に予測されることであり、その記録先として、デジタルメモリー回路21（12の誤り）から転送された映像信号の記録される記録手段と考えるのが自然と考えられる。そうであれば、デジタルメモリー回路21（12の誤り）に格納された映像信号だけでなく、レリーズボタンスイッチ１の２段目のストロークによって記録された映像信号も、共通の記録手段に転送記録されることになり、複数画面の映像信号が甲第１号証においても転送記録されていることになり、構成ｈ（本件主要な事項に相当）に相当するものが甲第１号証に記載されているということもできる。」（異議申立書１６頁２７行ないし１７頁６行）と、主張している。
　そこで、上記主張について検討するに、従来の電子スチルカメラにおいては「レリーズボタンスイッチ１の２段目のストロークによって新たな映像信号が撮影されて記録されることは当然に予測されること」であるが、このことから直ちに、デジタルメモリー回路21（12の誤り）に格納された映像信号だけでなく、「レリーズボタンスイッチ１の２段目のストロークによって記録された映像信号」も共通の記録手段に転送記録されることが、甲第１号証に記載されているとはいえない。
　したがって、本件請求項１に係る発明は、刊行物１ないし３の発明に基づいて当業者が容易に発明をすることができたものとは認められない。
《本件請求項２に係る発明について》
　本件請求項２に係る発明は、本件請求項１に係る発明に更に限定事項を付加したものであるから、上記本件請求項１に係る発明についての判断と同様の理由により、刊行物１ないし３の発明に基づいて当業者が容易に発明をすることができたものとは認められない。
《本件請求項３に係る発明について》
　本件請求項３に係る発明は、本件請求項１または２に係る発明に更に限定事項を付加したものであるから、上記本件請求項１に係る発明についての判断と同様の理由により、刊行物１ないし３の発明に基づいて当業者が容易に発明をすることができたものとは認められない。　　　　　　
４．むすび
　以上のとおりであるから、特許異議申立の理由及び証拠によっては、本件請求項１ないし３の特許を取り消すことはできない。
　また、他に本件請求項１ないし３に係る特許を取り消すべき理由を発見しない。
　よって、結論のとおり決定する。
【異議決定日】
平成１４年１０月１７日（２００２．１０．１７）
【訂正の要旨】
訂正の要旨
ａ．特許第３１３７０４１号発明の明細書中特許請求の範囲の請求項１を、特許請求の範囲の減縮を目的として「　前記レリーズ信号が発生する毎に前記撮像手段から出力される単一の映像信号を記録する一駒撮影モードと、前記レリーズ信号が発生している間、前記撮像手段から出力される映像信号を連続して記録する連続駒撮影モードとを切り換える切換手段と、」を追加するよう訂正する。
　これに伴い、請求項１中の記載の整合をとるため、請求項１中の「前記予備撮影信号の発生に応答して前記撮像手段から得られた映像信号を複数画面分前記バッファメモリー手段に格納する予備撮影手段」を、明りょうでない記載の釈明を目的として、「前記切換手段により切り換えられる撮影モードが前記一駒撮影モードと前記連続駒撮影モードのいずれであるかに関らず、前記予備撮影信号の発生に応答して前記撮像手段から得られた映像信号を複数画面分前記バッファメモリー手段に格納する予備撮影手段」と訂正する。
　同様に、請求項１中の記載の整合をとるため、請求項１中の「前記レリーズ信号の発生に応答して、前記予備撮影手段によって前記バッファメモリー手段に格納された複数画面分の映像信号のうち少なくとも最後に前記バッファメモリー手段に格納された映像信号を含む複数画面分の映像信号を前記記録媒体に転送記録する制御手段」を、明りょうでない記載の釈明を目的として、「前記レリーズ信号の発生に応答して、前記切換手段により切り換えられた撮影モードに基づく映像信号の前記記録媒体への記録と、前記予備撮影手段によって前記バッファメモリー手段に格納された複数画面分の映像信号のうち少なくとも最後に前記バッファメモリー手段に格納された映像信号を含む複数画面分の映像信号の前記記録媒体への転送記録とを行う制御手段」と訂正する。
　さらに、特許請求の範囲の記載と発明の詳細な説明の記載との整合をとるため、特許第３１３７０４１号発明の明細書中第２頁第４欄第１１行から同３４行「このような電子スチルカメラにつき本発明にあっては、・・・・・・画面の枚数を設定する枚数設定手段を備える。」を、明りょうでない記載の釈明を目的として、「このような電子スチルカメラにつき本発明にあっては、撮影光学系と、該撮影光学系によって形成された被写体像を映像信号に光電変換する撮像手段と、前記撮像手段から得られた該映像信号を記録媒体に記録する記録手段とを有する電子スチルカメラにおいて、前記撮像手段から出力される映像信号を一時的に複数画面分格納可能なバッファメモリー手段と、前記記録手段による前記記録媒体への記録動作を開始するためのレリーズ信号を発生するレリーズ信号発生手段と、前記レリーズ信号が発生する毎に一画面分の映像信号を前記撮像手段から出力する一駒撮影モードと、前記レリーズ信号が発生している間、映像信号を連続して前記撮像手段から出力する連続駒撮影モードとを切り換える切換手段と、前記レリーズ信号発生前に前記バッファメモリー手段への映像信号格納動作を開始するための予備撮影信号を発生する予備撮影信号発生手段と、前記切換手段により切り換えられる撮影モードが前記一駒撮影モードと前記連続駒撮影モードのいずれであるかに関らず、前記予備撮影信号の発生に応答して前記撮像手段から得られた映像信号を複数画面分前記バッファメモリー手段に格納する予備撮影手段と、前記レリーズ信号の発生に応答して、前記切換手段により切り換えられた撮影モードに基づく映像信号の前記記録媒体への記録と、前記予備撮影手段によって前記バッファメモリー手段に格納された複数画面分の映像信号のうち少なくとも最後に前記バッファメモリー手段に格納された映像信号を含む複数画面分の映像信号の前記記録媒体への転送記録とを行う制御手段とを設けたものである。
　ここで前記予備撮影手段は、前記バッファメモリー手段に新たな１画面分の映像信号を格納する時間間隔を設定するタイミング設定手段、及び、前記バッファメモリーから記録媒体に転送記録する画面の枚数を設定する枚数設定手段を備える。」と訂正する。
　同様に、特許請求の範囲の記載と発明の詳細な説明の記載との整合をとるため、特許第３１３７０４１号発明の明細書中第５頁第１０欄４３行目から第６頁第１１欄２０行「【発明の効果】以上説明したように本発明によれば、・・・・・・撮影者の技量や撮影条件に合わせてさらに有効な撮影記録を行うことが可能になる。」を、明りょうでない記載の釈明を目的として、「以上説明したように本発明によれば、電子スチルカメラが、撮像手段から出力される映像信号を一時的に複数画面分格納可能なバッファメモリー手段と、記録手段による記録媒体への記録動作を開始するためのレリーズ信号を発生するレリーズ信号発生手段と、レリーズ信号が発生する毎に一画面分の映像信号を撮像手段から出力する一駒撮影モードと、レリーズ信号が発生している間、映像信号を連続して撮像手段から出力する連続駒撮影モードとを切り換える切換手段と、レリーズ信号発生前にバッファメモリー手段への映像信号格納動作を開始するための予備撮影信号を発生する予備撮影信号発生手段と、切換手段により切り換えられる撮影モードが一駒撮影モードと連続駒撮影モードのいずれであるかに関らず、予備撮影信号の発生に応答して撮像手段から得られた映像信号を複数画面分バッファメモリー手段に格納する予備撮影手段と、レリーズ信号の発生に応答して、切換手段により切り換えられた撮影モードに基づく映像信号の記録媒体への記録と、予備撮影手段によって前記バッファメモリー手段に格納された複数画面分の映像信号のうち少なくとも最後に前記バッファメモリー手段に格納された映像信号を含む複数画面分の映像信号の記録媒体への転送記録とを行う制御手段とを備えたことで、レリーズ部材の押圧から実際に撮影する被写体の情報をとり込む（写し込む）までの時間遅れを補償した映像信号の記録媒体への記録を容易に行うことができる。特に、予備撮影信号の発生に応じた映像信号のバッファメモリー手段への格納動作を電子カメラの撮影モードに関らず実行可能とすることで、一駒撮影及び連続駒撮影いずれの撮影モードであってもレリーズ信号の発生直前にバッファメモリー手段に格納された映像信号を確実に記録媒体に記録することができる。
　また、バッファメモリー手段に順次新たな１画面分の映像信号を格納する時間間隔を設定するタイミング設定手段及びバッファメモリー手段から記録媒体に転送記録する画面の枚数を設定する枚数設定手段を備えているため、撮影者の技量や撮影条件に合わせてさらに有効な撮影記録を行うことが可能となる。」と訂正する。
（５４）【発明の名称】
電子スチルカメラ
（５７）【特許請求の範囲】
　【請求項１】　撮影光学系と、該撮影光学系によって形成された被写体像を映像信号に光電変換する撮像手段と、前記撮像手段から得られた該映像信号を記録媒体に記録する記録手段とを有する電子スチルカメラにおいて、
　前記撮像手段から出力される映像信号を一時的に複数画面分格納可能なバッファメモリー手段と、
　前記記録手段による前記記録媒体への記録動作を開始するためのレリーズ信号を発生するレリーズ信号発生手段と、
　前記レリーズ信号が発生する毎に一画面分の映像信号を前記撮像手段から出力する一駒撮影モードと、前記レリーズ信号が発生している間、映像信号を連続して前記撮像手段から出力する連続駒撮影モードとを切り換える切換手段と、
　前記レリーズ信号発生前に前記バッファメモリー手段への映像信号格納動作を開始するための予備撮影信号を発生する予備撮影信号発生手段と、
　前記切換手段により切り換えられる撮影モードが前記一駒撮影モードと前記連続駒撮影モードのいずれであるかに関らず、前記予備撮影信号の発生に応答して前記撮像手段から得られた映像信号を複数画面分前記バッファメモリー手段に格納する予備撮影手段と、
　前記レリーズ信号の発生に応答して、前記切換手段により切り換えられた撮影モードに基づく映像信号の前記記録媒体への記録と、前記予備撮影手段によって前記バッファメモリー手段に格納された複数画面分の映像信号のうち少なくとも最後に前記バッファメモリー手段に格納された映像信号を含む複数画面分の映像信号の前記記録媒体への転送記録とを行う制御手段とを備えたことを特徴とする電子スチルカメラ。
　【請求項２】　前記バッファメモリー手段に順次新たな１画面分の映像信号を格納する時間間隔を設定するタイミング設定手段を備えたことを特徴とする請求項１記載の電子スチルカメラ。
　【請求項３】　前記バッファメモリー手段から記録媒体に転送記録する画面の枚数を設定する枚数設定手段を備えたことを特徴とする請求項１または２記載の電子スチルカメラ。
【発明の詳細な説明】
　【０００１】
　【発明の属する技術分野】本発明は、撮影された静止画像を電子的に記録する電子スチルカメラに関する。
　【０００２】
　【従来の技術】従来、この種の装置は、撮影被写体像を電気信号に変換する撮像部と、その電気信号を磁気ディスクや半導体メモリーに記録する記録部とから構成されている。また、この種の装置と同様に静止画撮影用としては、従来からの銀塩感光材を使用するカメラが広く普及している。
　【０００３】
　これらの装置では、撮影記録動作の開始は、カメラ本体に設けられたレリーズ部材の押圧で行われるように構成されており、レリーズ部材の押圧１回毎に１画面ずつ撮影するモードの他に、レリーズ部材を押圧中は所定の時間間隔で連続して複数の画面を順次撮影する連写モードでの撮影が可能となっているものもある。
　【０００４】
　【発明が解決しようとする課題】しかしながら、このような従来のカメラでは、レリーズ部材の押圧から実際に撮影する被写体の情報をとり込む（写し込む）までには、わずかではあるが時間遅れがあった。この遅れ時間は１００ｍｓｅｃ程度が平均的であり、短いものでも３００ｍｓｅｃ程度の遅れを有している。
　【０００５】
　更に、実際の撮影の際には、撮影者が被写体のシャッターチャンスを知覚してから実際にレリーズ部材を操作するまでの人体の生体反応の遅れ（０．０５〜０．２秒程度）が、これに付加される。このため、動きのある被写体を写す際などの微妙なシャッターチャンスが必要な場合には、撮影者は、これらの遅れ時間を見込んで、僅かに早めのタイミングでレリーズ操作を行うことでシャッターチャンスの確保につとめたり、連写モードを備えたカメラであったならば、めざすシャッターチャンスの前後にわたって連続撮影して複数の撮影画の中から目的の画面を選択するなどして対応するのが実状であった。
　【０００６】
　これらの撮影方法では、撮影者の熟練や撮影技量をある程度必要としたり、連写モードで本来は必要としない多数の画面を撮影してしまって映像の記録領域を無駄使いしてしまう恐れがあるなどの欠点を有していた。また、子供や動物のように、先の動きが予測しにくかったり、不規則な動きの被写体や、突然発生したシャッターチャンスへの対応は非常に困難なものであった。
　【０００７】
　本発明は、このような従来の問題点を鑑みてなされたもので、撮影者がレリーズ部材を操作して撮影動作を行う直前の所定のタイミングの画面を記録して、撮影時の遅れ時間がほとんどゼロの本来所望するシャッターチャンスの記録画像が容易に得られる電子スチルカメラを提供することを目的とする。
　【０００８】
　【課題を解決するための手段】この目的を達成するため本発明は次のように構成する。まず本発明は、撮影光学系と、該撮影光学系によって形成された被写体像を映像信号に光電変換する撮像手段と、レリーズ信号発生に応答して撮像手段から得られた映像信号を記録媒体に記録する記録手段とを有する電子カメラを対象とする。
　【０００９】
　このような電子スチルカメラにつき本発明にあっては、撮影光学系と、該撮影光学系によって形成された被写体像を映像信号に光電変換する撮像手段と、前記撮像手段から得られた該映像信号を記録媒体に記録する記録手段とを有する電子スチルカメラにおいて、前記撮像手段から出力される映像信号を一時的に複数画面分格納可能なバッファメモリー手段と、前記記録手段による前記記録媒体への記録動作を開始するためのレリーズ信号を発生するレリーズ信号発生手段と、前記レリーズ信号が発生する毎に一画面分の映像信号を前記撮像手段から出力する一駒撮影モードと、前記レリーズ信号が発生している間、映像信号を連続して前記撮像手段から出力する連続駒撮影モードとを切り換える切換手段と、前記レリーズ信号発生前に前記バッファメモリー手段への映像信号格納動作を開始するための予備撮影信号を発生する予備撮影信号発生手段と、前記切換手段により切り換えられる撮影モードが前記一駒撮影モードと前記連続駒撮影モードのいずれであるかに関らず、前記予備撮影信号の発生に応答して前記撮像手段から得られた映像信号を複数画面分前記バッファメモリー手段に格納する予備撮影手段と、前記レリーズ信号の発生に応答して、前記切換手段により切り換えられた撮影モードに基づく映像信号の前記記録媒体への記録と、前記予備撮影手段によって前記バッファメモリー手段に格納された複数画面分の映像信号のうち少なくとも最後に前記バッファメモリー手段に格納された映像信号を含む複数画面分の映像信号の前記記録媒体への転送記録とを行う制御手段とを設けたものである。
　ここで前記予備撮影手段は、前記バッファメモリー手段に新たな１画面分の映像信号を格納する時間間隔を設定するタイミング設定手段、及び、前記バッファメモリーから記録媒体に転送記録する画面の枚数を設定する枚数設定手段を備える。
　【００１０】
　このように構成を備えた本発明の電子スチルカメラによれば、レリーズ信号が得られる前の撮影準備段階で撮像手段から得られた映像信号がバッファメモリーに順次格納され、撮影者のレリーズ操作によってレリーズ信号が得られると、バッファメモリーに格納されている１又は複数画面分の映像信号が記録媒体に転送記録されるので、撮影者のレリーズ動作を遅れ時間に相当する分のレリーズ信号発生前の時点の映像信号が記録媒体に記録でき、狙い通りのシャッターチャンスの映像が初心者でも容易に撮影記録できる。こうして、シャッターチャンスを逃がすことがない。
　【００１１】
　また、バッファメモリーへの新しい映像信号の書込む動作のサイクルタイムを任意に設定できることで、撮影者の熟練度や技量、撮影条件などにきめ細かく対応することもできる。
　【００１２】
　【発明の実施の形態】図１は本発明の一実施形態を示した実施形態構成図である。図１において、撮像部１００は撮影レンズ１、絞り２、ＣＣＤ等の撮像素子３、撮像素子３の動作を制御する撮像素子駆動回路４、撮像素子３の出力信号を映像信号に変換処理するためのプロセス回路５、Ａ／Ｄコンバータ６などにより構成される。
　【００１３】
　Ａ／Ｄコンバータ６によりＡ／Ｄ変換された映像信号は、バッファメモリー７および記録部２００のメモリーパック１０に与えられる。バッファメモリー７は、ＲＡＭ素子などの記憶内容が書換え可能な半導体フレームメモリーによって構成されており、撮影された静止画像の３画面分程度を記憶できる容量を有している。
　【００１４】
　メモリーパック１０は、図２に示すように、排出ノブ２１の操作によってカメラ本体側面にメモリーパック挿入孔２０からカメラ本体に対し着脱可能に設けられる。メモリーパック１０への映像信号の記録は、Ａ／Ｄコンバータ６の出力の直接記録と、バッファメモリー７に一旦蓄えられた信号を読出して記録する転送記録の両方が可能であり、交換式のメモリーパック１枚当り約２０画面分の撮影静止画が記録できる容量を有する。
　【００１５】
　バッファメモリー制御回路８と記録制御回路９は、それぞれバッファメモリー７とメモリーパック１０のデジタル映像信号の書込みと読出しを制御する回路であり、共にシーケンス制御回路１１からの信号出力に応答して動作する。尚、本実施形態では、記録部２００を半導体メモリーを使用したメモリーパック１０とその記録制御回路９で構成しているが、フロッピディスクの磁気記録媒体とその駆動制御装置などから構成してもよい。
　【００１６】
　シーケンス制御回路１１は、カメラの操作部材によるスイッチ入力を受けて、撮像素子制御回路４、バッファメモリー制御回路８、記録制御回路９にそれぞれ制御信号を出力してカメラの動作シーケンスを制御する。
　半押しスイッチ１２及びレリーズスイッチ１３は、図２のレリーズ釦２３の押圧動作に連動しており、レリーズ釦２３の全ストロークの約半分まで軽く押し込まれると半押スイッチ１２がオフからオンに切り替わり、ほぼ全ストローク近くまで深く押し込まれるとレリーズスイッチ１３もオフからオンに切り替わる。
　【００１７】
　図２のレリーズ釦２３の外周には、回転操作式のＳ−Ｃ切換ノブ２４が配設されている。Ｓ−Ｃ切換ノブ２４は、レリーズ釦２３の押し込み動作を機械的に阻止するＬ（ロック）と、レリーズ釦２３の押圧１回毎に１画面ずつ撮影するシングルモードのＳと、レリーズ釦２３の押圧中は所定の時間間隔で連続して複数の画面を順次撮影する連写モード（コンティニアスモード）のＣの３つの位置に選択的に設定可能になっている。Ｓ−Ｃ切換ノブ２４のＳ位置からＣ位置への切り換えに連動して図１のＳ−Ｃスイッチ１４はオフからオンに切り替わる。
　【００１８】
　カメラのファインダー窓２２の上部には、タイミング設定ダイアル２５と記録フレーム数設定ダイアル２６の二つの回転式操作部材が配置されている。二つの設定ダイアル２５と２６は、それぞれ図１のタイミング設定スイッチ１５と記録フレーム数設定スイッチ１６に連動している。タイミング設定スイッチ１５は、バッファメモリー制御回路８がバッファメモリー７の記憶画像信号を新しい画像と書き換える時間間隔を選定するための切換スイッチであり、記録フレーム数設定スイッチ１６は、レリーズ動作時にバッファメモリー７からメモリーパック１０へ写し込む静止画の画面数を設定するための切換スイッチである。
　【００１９】
　カメラ本体上面に配設された、液晶表示パネル２７は、撮影済み（又は撮影可能残り）の画面数や各種の動作条件などの撮影情報を表示する。次に、図１，２の実施形態の動作について説明する。この実施形態の電子スチルカメラでは、一駒撮りのＳモードと連続駒撮りのＣモードとが選択可能であるが、まずＳ−Ｃ切換ノブ２４をＳモードの位置に設定した場合の動作を説明する。
　【００２０】
　撮影に先だって、撮影の際にバッファメモリー７からメモリーパック１０へ転送記録する画面の数を記録フレーム数設定ダイアル２６で０から３までの希望の値に設定する。この設定数値は、レリーズスイッチ１３の動作直前にバッファメモリー７に読み込まれた中の何画面をメモリーパック１０に記録するかを選定するもので、０を選んだ場合はレリーズスイッチ動作後の１画面のみを記録する従来のカメラと同じ動作となる。同様に、バッファメモリー７への画像の読み込みタイミングをタイミング設定ダイアル２５で、Ｌ，Ｍ，Ｈ，ＳＨの中の一つを選定する。Ｌ〜ＳＨの４つの設定は、バッファメモリー７への画像読み込みの時間間隔を、１００ｍｓｅｃ、５０ｍｓｅｃ、３３ｍｓｅｃ、１７ｍｓｅｃなどのように長短を選んで選択するもので、例えば初心者のようにレリーズタイミングが不安定な場合には長めの時間設定に、特に微妙なシャッターチャンスが要求される場合には短めの時間設定にといった具合に設定することができる。
　【００２１】
　図３は、一駒撮りのＳモードを選択した際の本発明による電子スチルカメラの動作の一例を示すタイムチャートである。図３の例では、記録フレーム数の設定は３に、タイミング設定ダイアルによる設定は５０ｍｓｅｃにそれぞれ設定された場合の動作を示す。撮影者がカメラを被写体の方向に向けて備えて、レリーズ釦２３を軽く半押しの位置まで押し込むと半押しスイッチ１２がオンになり、これに応答してシーケンス制御回路１１から発生される半押し信号がＬ（Ｌｏｗ）からＨ（Ｈｉｇｈ）に切り替わると共に、撮像部１００に電力を供給する不図示の電源回路が動作状態になる。電源回路出力が立ち上がり状態から安定状態となる所定の時間が経過した後に、カメラの各部の動作タイミングを制御するための同期信号がリセットされる。この同期信号としては、映像信号の垂直同期信号が適しており、一般に広く用いられている。この実施形態では、同期信号の周期を、映像信号がＮＴＳＣ方式のテレビジョン信号に適合する１／６０秒としたが、必ずしもこれに限定されるものではない。
　【００２２】
　更に半押しスイッチ１２の動作に応答して、不図示の露出制御回路に給電され、露出制御回路の出力に応じて絞り２の絞り口径が制御される。この状態で、垂直同期信号に同期して撮像素子３への被写体像に対応する電荷の蓄積が開始される。本実施形態では、撮像素子３としてＣＣＤを用いており、ＣＣＤの電荷蓄積時間と絞り口径を露出制御回路の出力によって制御して、被写体の明るさの変化に対しても適切な出力レベルの映像信号が得られるように構成している。このＣＣＤの電荷蓄積時間は、従来のカメラのシャッター速度に相当するものであり、電荷蓄積時間を制御する代わりに撮像素子３に前方に電磁駆動式の機械シャッターを配設して従来カメラと同様の露出時間制御を行う構成としてもよい。
　【００２３】
　垂直同期信号に同期して開始したＣＣＤ３の電荷蓄積を、通常の露出時間に相当する所定の蓄積時間経過後、例えば図３の例では約１／４５秒経後に停止し、電荷蓄積完了後に発生する最初の同期信号に応答してＣＣＤ３に蓄積された電荷を読み出し、プロセス回路５、Ａ／Ｄコンバータ６を経てバッファメモリー７の１番目のメモリー領域に記憶させる。
　【００２４】
　更に半押し動作中は、設定スイッチ１５によりのタイミング設定された時間間隔、例えば図３の例では５０ｍｓｅｃ毎に、ＣＣＤ３に新たに電荷蓄積された信号を順次バッファメモリー７の次のメモリー領域に記憶していく。図３に示すように、ＣＣＤ３で取り込まれた影像を、Ａ，Ｂ，Ｃと各々順にバッファメモリー７の第１，第２，第３の各メモリー領域に記憶し、４番目のＤ以降は既に記憶済みのメモリー領域のうち最も古く記憶された領域に書換えて記憶される。即ち、ＤはＡに代えて第１の領域に記憶される。この状態は、レリーズ釦２３の半押し操作が解除されて半押し信号が再びＬに復帰するか、レリーズ釦２３がさらに深く押し込まれてレリーズスイッチ１３が動作して、シーケンス制御回路１１から発生されるレリーズ信号がＬからＨに切り替わり、バッファメモリー７への書き込みが禁止されるまで続けられる。
　【００２５】
　この本実施形態では、動作を簡単にするために、タイミング設定ダイアル２５で設定されるＣＣＤ３への電荷蓄積およびバッファメモリー７への信号記憶を行う各画面ごとの時間間隔を、垂直同期信号の周期の整数倍となるように選んでいる。尚、同期信号の周期の整数倍以外の任意の値を設定できるようにしたい場合には、例えばバッファメモリー７に信号を一画面分記憶させる毎に同期信号をリセットするように構成することにより実現できる。
　【００２６】
　撮影者が、レリーズ釦２３の半押し状態からシャッターチャンスを知覚して、レリーズ釦２３を深く押し込むと、レリーズ信号がＨに切り替わり、さらに、このレリーズ信号の切り替わりの後に発生される二つ目の同期信号に同期してバッファメモリー７の書込み禁止信号がシーケンス制御回路１１からＨ信号として出力される。レリーズ信号のＨへの切り替わりの後に最初に電荷蓄積が終了する画面Ｅの映像信号が、その電荷蓄積動作を終了した後に発生する次の同期信号に同期して、ＣＣＤ３からプロセス回路５、Ａ／Ｄコンバータ６を経てメモリーパック１０に記録される。これに続いて、バッファメモリー７に記憶されているＤ，Ｃ，Ｂの画面の映像信号が、同期信号に同期して順序メモリーパック１０に転送記録される。このバッファメモリー７から読み込まれる画面の数は、記録フレーム数設定ダイアル２６で選定された数によるものであり、画面数２が選定された場合には、Ｄ，Ｃの２画面が記録され、画面数１が選定された場合にはＤのみが記録される。
　【００２７】
　メモリーパック１０への所定画面数の映像信号の記録が終了すると、レリーズ信号およびバッファメモリー書き込み禁止信号が共にＨからＬに再び切り替わり、次のレリーズ動作に備える状態となる。この後、レリーズ釦２３を半押しの位置からレリーズスイッチ１３が動作する位置まで再度押し込むことで別の画面を続けて撮影することも可能なようになっている。また、短かい時間をおいて撮影動作を繰り返すなどの場合に備えて、従来のカメラと同様に、レリーズ釦２３から指が離されて半押しスイッチ１２がオフに切り替わっても、１０秒程度の一定時間はレリーズ信号がＨ状態で保持された後にＬに切り替わるようにシーケンス制御回路１１が構成されている。
　【００２８】
　このように、メモリーパック１０には、通常のカメラと同様、実際にレリーズ部材が操作された直後の撮影画Ｅが記録され、更に、画面Ｅよりもそれぞれ５０ｍｓｅｃ、１００ｍｓｅｃ、１５０ｍｓｅｃ前の時点の画面であるＤ，Ｃ，Ｂが記憶される。図３のタイムチャートに示すように、撮影者が判断した時間と実際にレリーズスイッチ１３が動作した時点とで、１００ｍｓｅｃ程度の反応遅れ時間があったとすると、希望したシャッターチャンスに非常に近いＣの画面とその前後の画面が記録されたことになる。
　【００２９】
　図３の例よりもさらに、撮影判断時間と記録画面のタイミング差を小さくしたい場合には、タイミング設定ダイヤル２５による設定時間を小さな値となるようにすればよいが、１〜３画面を同時に記録するだけでは、レリーズ信号発生前の短い期間の中からしか撮影画を残せず、希望の画面が記録できないことも起こり得る。このような場合に対応するには、１回の撮影当りのメモリーパック１０への記録画面数を多くする方法もあるが、この実施形態の改良案として、バッファメモリー７への記憶画面のサンプリング時間を短くしておき、メモリーパック１０へは１つおきに転送記録し、半分の画面数を記録しても良い。即ち図３の例ではＣとＡだけを記録する。更に２つ置きに転送記録することで１／３のサンプリング画だけを記録する方法によってメモリーパック１０の記録領域の無駄使いを少なくすることも可能である。
　【００３０】
　また、不必要な画面を少しでも記録しないですむように、画面Ｅのようなレリーズ信号発生後の画面を記録しないモードの設定手段を付加してもよい。次に、Ｓ−Ｃ切り換えノブ２４の設定を連続駒撮りのＣモードに設定した場合の動作を図４のタイムチャートを参照してを説明する。このＣモードを選択した時の基本的な動作は、Ｓモードの場合と同じであるので、異なる部分のみの説明を行う。
　【００３１】
　カメラを被写体に向けて、撮影予備動作であるレリーズ釦２３の半押しを行った後に、レリーズ動作を行ってレリーズ信号が発生するまでの間の動作は、Ｓモードの場合と同じである。図４の例では、連続駒撮影の速度を１秒間に１０画面（撮影間隔１００ｍｓｅｃ）の場合を示しており、記録フレーム数設定とタイミング設定は、図３の例と同じ３フレームと５０ｍｓｅｃになっている場合を示している。
　【００３２】
　Ｃモードでは、レリーズ釦２３を深く押し込んでスイッチ１３がオン状態に保持している間は、連続して撮影か続けられるようになっているのが一般的である。この実施形態では図４に示すように、シーケンス制御回路１１から出力されるレーズ信号は、レリーズスイッチ１３のオンへの切り替わりに応答してＨに切り替わり、メモリーパック１０への記録が一旦終了するまでＨに保持された後、Ｌに切り替わる。
　【００３３】
　ここまではＳモードの場合と同じであるが、この後、レリーズスイッチ１３がオンの間は、連続撮影の時間間隔（１００ｍｓｅｃ）毎にレリーズ信号がＬからＨへ、また記録が終了する毎にＨからＬへと切り替わって出力される。一方、バッファメモリー書き込み禁止信号は、Ｓモードの時と同じくレリーズ信号の最初のＨへの切り替わりの後の二つ目の同期信号に同期してＨ信号が出力されるが、この後、メモリーパック１０への記録か完了してもレリーズスイッチ１３がオンの間はＨに保持される。この結果、メモリーパック１０へは、レリーズスイッチ１３がオンになった直後に電荷蓄積が終了する画面Ｅと共に、それよりも５０ｍｓｅｃ間隔で以前の画面Ｄ，Ｃ，Ｂと、その以降１００ｍｓｅｃ隔の画面Ｇ，Ｉ，Ｋ，…が記録される。
　【００３４】
　レリーズ釦２３の押し込みが解除されてレリーズスイッチ１３が再びオフになると、その時点でレリーズ信号がＬである場合は次のレリーズ信号のＨへの切り替わりが行われず、バッファメモリー書き込み禁止信号がＬとなり、連続駒撮影を終了して次の撮影動作に備える状態となる。レリーズスイッチ１３がオフとなった時点でレリーズ信号がＨである場合は、その時のメモリーパック１０へ記録する画面の記録が完了するまでレリーズ信号がＨに保持された後Ｌｏｗに切り替わり、以下同様に次の撮影動作に備える状態となる。
　【００３５】
　図４に示した実施形態では、レリーズ信号発生前の画面として、Ｄ，Ｃ，Ｂの５０ｍｓｅｃ間隔の画面を記録するように構成されているが、連続駒撮影の一定時間間隔を記録機能を重要視する場合には、レリーズ信号発生前の画面も連続駒撮影の時間間隔と同じ間隔の画面（図４の例では、画面Ｃ、Ａ）が記録されるようにしてもよい。
　【００３６】
　尚、Ｓモード、Ｃモード共に、レリーズ信号発生前に撮影予備動作（レリーズ釦の半押し）時にバッファメモリー７に記憶した画面を記録するように構成されているので、撮像部１００へ供給される電源回路出力の立ち上がりとバッファメモリー７への画像信号読み込みのために、レリーズ信号発生までに０．１〜０．２秒程度の間、撮影予備動作が行われることが望ましい。通常の撮影では、この程度の短い時間の撮影予備動作はほとんど問題とならないが、緊急の場合などには、この予備動作時間が極めて短くなっしまう場合も起こり得る。そこで、このような場合にでも対処できるように、バッファメモリー７への記憶画面数が設定フレーム数に達していない状態でレリーズ信号が発生した時は、その時点でのバッファメモリー７の記憶画面とレリーズ信号発生後の通常の画面を記録するようにシーケンス制御回路１１を構成することで、本発明によるカメラの有効性を高めることができる。
　【００３７】
　また、撮影予備動作の時間が所定の時間に達していない間は、ファインダー内などの表示部に警告の表示を出すことも有用である。更に別の対応手段として、撮影予備動作の時間が所定値より短い時点でレリーズスイッチ１３がオンになっても、所定時間経過後にレリーズ信号が発生するような構成、或いは所定値より短い時点でのレリーズ信号の発生を禁止する構成のシーケンス制御回路１１としてもよい。
　【００３８】
　【発明の効果】以上説明したように本発明によれば、電子スチルカメラが、撮像手段から出力される映像信号を一時的に複数画面分格納可能なバッファメモリー手段と、記録手段による記録媒体への記録動作を開始するためのレリーズ信号を発生するレリーズ信号発生手段と、レリーズ信号が発生する毎に一画面分の映像信号を撮像手段から出力する一駒撮影モードと、レリーズ信号が発生している間、映像信号を連続して撮像手段から出力する連続駒撮影モードとを切り換える切換手段と、レリーズ信号発生前にバッファメモリー手段への映像信号格納動作を開始するための予備撮影信号を発生する予備撮影信号発生手段と、切換手段により切り換えられる撮影モードが一駒撮影モードと連続駒撮影モードのいずれであるかに関らず、予備撮影信号の発生に応答して撮像手段から得られた映像信号を複数画面分バッファメモリー手段に格納する予備撮影手段と、レリーズ信号の発生に応答して、切換手段により切り換えられた撮影モードに基づく映像信号の記録媒体への記録と、予備撮影手段によって前記バッファメモリー手段に格納された複数画面分の映像信号のうち少なくとも最後に前記バッファメモリー手段に格納された映像信号を含む複数画面分の映像信号の記録媒体への転送記録とを行う制御手段とを備えたことで、レリーズ部材の押圧から実際に撮影する被写体の情報をとり込む（写し込む）までの時間遅れを補償した映像信号の記録媒体への記録を容易に行うことができる。特に、予備撮影信号の発生に応じた映像信号のバッファメモリー手段への格納動作を電子カメラの撮影モードに関らず実行可能とすることで、一駒撮影及び連続駒撮影いずれの撮影モードであってもレリーズ信号の発生直前にバッファメモリー手段に格納された映像信号を確実に記録媒体に記録することができる。
　また、バッファメモリー手段に順次新たな１画面分の映像信号を格納する時間間隔を設定するタイミング設定手段及びバッファメモリー手段から記録媒体に転送記録する画面の枚数を設定する枚数設定手段を備えているため、撮影者の技量や撮影条件に合わせてさらに有効な撮影記録を行うことが可能となる。
【図面の簡単な説明】
　【図１】本発明の実施形態を示した実施形態構成図
　【図２】本発明のカメラ本体の外観構成図
　【図３】図１の実施形態を一駒ずつ撮影するＳモードで動作させた場合の動作状態の一例を示すタイムチャート
　【図４】図１の実施形態の連続駒撮影のＣモードでの動作状態の一例を示すタイムチャート
　【符号の説明】
　１：撮影レンズ
　２：絞り
　３：撮像素子（ＣＣＤ）
　４：撮像素子駆動回路
　５：プロセス回路
　６：Ａ／Ｄコンバータ
　７：バッファメモリー
　８：バッファメモリー制御回路
　９：記録制御回路
　１０：メモリーパック
　１１：シーケンス制御回路
　１２：半押しスイッチ
　１３：レリーズスイッチ
　１４：Ｓ−Ｃ切換スイッチ
　１５：タイミング設定スイッチ
　１６：記録フレーム数設定スイッチ
　１００：撮像部
　２００：記録部